(57)【要約】【課題】画像情報を送信する送信先をユーザーが容易に決定する。【解決手段】画像形成装置１００は、読取部５０１、検出部５０２、判定部５０３、及び第１決定部５０５を備える。読取部５０１は、第１原稿Ｒの画像を読み取り、第１原稿Ｒの用紙ＰＡの色ＣＡと画像とを示す原稿情報ＭＪを生成する。また、読取部５０１は、第２原稿Ｃの画像を読み取り、第２原稿Ｃの用紙ＰＡの色ＣＡと画像とを示す原稿情報ＭＪを生成する。第２原稿Ｃは、白色以外の色の用紙ＰＡの原稿を示す。検出部５０２は、原稿情報ＭＪに基づき、用紙ＰＡの色ＣＡをそれぞれ検出する。判定部５０３は、用紙ＰＡの色ＣＡが、白色以外の複数の特定色ＳＣのうち、いずれか１つの特定色ＳＣと一致するか否かを判定する。第１決定部５０５は、判定部５０３が１つの特定色ＳＣと一致すると判定した場合に、１つの特定色ＳＣに基づいて、原稿情報ＭＪの送信先ＡＤを決定する。【選択図】図３
2019009710.tif 000002
【特許請求の範囲】
【請求項１】
原稿に記載された画像を読み取る画像読取装置であって、
前記原稿を読み取り、前記原稿の記録媒体の色と前記画像とを示す原稿情報を生成する読取部と、
前記原稿情報に基づき、前記原稿の記録媒体の色を検出する検出部と、
前記原稿の記録媒体の色が、複数の特定色のうちいずれか一つの特定色と一致するか否かを判定する判定部と、
前記原稿の記録媒体の色が前記一つの特定色と一致すると前記判定部が判定した場合に、前記一つの特定色に基づいて、前記原稿情報の送信先を決定する決定部と
を備える、画像読取装置。
【請求項２】
前記複数の特定色を、それぞれ、送信先と対応付けて記憶する色記憶部を更に備え、
前記原稿の記録媒体の色が前記１つの特定色に一致すると前記判定部が判定した場合に、前記決定部は、前記１つの特定色に対応する送信先を前記色記憶部から読み出して、前記送信先に決定する、請求項１に記載の画像読取装置。
【請求項３】
前記特定色を示す情報は、色値の範囲を示す情報を含み、
前記判定部は、前記色値の範囲に基づいて、前記原稿の記録媒体の色が、前記複数の特定色のうち、いずれか１つの特定色と一致するか否かを判定する、請求項２に記載の画像読取装置。
【請求項４】
前記原稿の記録媒体の色が前記１つの特定色と一致すると前記判定部が判定した場合に、前記原稿情報に含まれるテキスト情報を取得する取得部を更に備え、
前記決定部は、前記取得部が取得した前記テキスト情報に基づいて、前記送信先を決定する、請求項１から請求項３のいずれか１項に記載の画像読取装置。
【請求項５】
前記判定部は、前記原稿の記録媒体の色が基本色であるか否かを更に判定し、
前記基本色は、前記複数の特定色のいずれの特定色とも一致しない色であり、
前記原稿の記録媒体の色が前記基本色ではなく、且つ、前記原稿の記録媒体の色が前記複数の特定色のいずれの特定色とも一致しないと前記判定部が判定した場合に、前記決定部は、前記送信先を決定する、請求項１から請求項４のいずれか１項に記載の画像読取装置。
【請求項６】
送信先を受け付ける受付部を更に備え、
前記原稿の記録媒体の色が前記基本色ではなく、且つ、前記原稿の記録媒体の色が前記複数の特定色のいずれの特定色とも一致しないと前記判定部が判定した場合に、前記受付部は、前記送信先を受け付け、
前記決定部は、前記受付部が受け付けた前記送信先を、前記送信先に決定する、請求項５に記載の画像読取装置。
【請求項７】
第１原稿は、前記原稿の記録媒体の色が基本色である原稿を示し、
前記基本色は、前記複数の特定色のいずれの特定色とも一致しない色であり、
第２原稿は、前記原稿の記録媒体の色が、前記複数の特定色のうち、いずれか１つの特定色と一致する原稿を示し、
前記第１原稿及び前記第２原稿が積層され、前記第１原稿及び前記第２原稿を順次前記読取部に給送する給送部と、
前記複数の原稿情報を分割する分割部と
を更に備え、
前記第２原稿は、２枚以上の所定枚数であり、
前記第１原稿は、前記所定枚数以上であり、
前記給送部には、前記第１原稿が前記所定枚数の前記第２原稿にそれぞれ対応付けて積層され、
前記読取部は、前記所定枚数の前記第２原稿のうち１枚の前記第２原稿の画像を、前記１枚の前記第２原稿に対応する前記第１原稿の画像の直前に読み取り、
前記分割部は、前記１枚の前記第２原稿に対応する原稿情報と前記１枚の前記第２原稿の直前に読み取られた前記第１原稿に対応する原稿情報との間で、前記複数の原稿情報を前記所定枚数に対応する所定個数の原稿情報に分割する、請求項１から請求項６のいずれか１項に記載の画像読取装置。
【請求項８】
第１原稿は、前記原稿の記録媒体の色が基本色である原稿を示し、
前記基本色は、前記複数の特定色のいずれの特定色とも一致しない色であり、
第２原稿は、前記原稿の記録媒体の色が、前記複数の特定色のうち、いずれか１つの特定色と一致する原稿を示し、
前記第１原稿及び前記第２原稿が積層され、前記第１原稿及び前記第２原稿を順次前記読取部に給送する給送部と、
前記複数の原稿情報を分割する分割部と
を更に備え、
前記第２原稿は、２枚以上の所定枚数であり、
前記第１原稿は、前記所定枚数以上であり、
前記給送部には、前記第１原稿が前記所定枚数の前記第２原稿にそれぞれ対応付けて積層され、
前記読取部は、前記所定枚数の前記第２原稿のうち１枚の前記第２原稿の画像を、前記１枚の前記第２原稿に対応する前記第１原稿の画像の直後に読み取り、
前記分割部は、前記複数の原稿情報を、前記１枚の前記第２原稿に対応する原稿情報と前記１枚の前記第２原稿の直後に読み取られた前記第１原稿に対応する原稿情報との間で、前記所定枚数に対応する所定個数の原稿情報に分割する、請求項１から請求項６のいずれか１項に記載の画像読取装置。
【請求項９】
前記決定部が決定した前記送信先に対して、前記所定個数の原稿情報をそれぞれ送信する送信部を更に備える、請求項７又は請求項８に記載の画像読取装置。
【請求項１０】
原稿に記載された画像を読み取る画像読取装置を備える画像形成装置であって、
前記原稿を読み取り、前記原稿の記録媒体の色と前記画像とを示す原稿情報を生成する読取部と、
前記原稿情報に基づき、前記原稿の記録媒体の色を検出する検出部と、
前記原稿の記録媒体の色が、複数の特定色のうちいずれか一つの特定色と一致するか否かを判定する判定部と、
前記原稿の記録媒体の色が前記一つの特定色と一致すると前記判定部が判定した場合に、前記一つの特定色に基づいて、前記原稿情報の送信先を決定する決定部と
を備える、画像形成装置。
【請求項１１】
前記決定部が決定した前記送信先に対して、前記複数の原稿情報を送信する送信部と、
前記複数の特定色を示す情報を、前記送信先を示す情報と対応付けて記憶する記憶部と
前記記録媒体とは別の記録媒体に画像を形成する画像形成部と
を更に備え、
前記原稿の記録媒体の色が前記１つの特定色と一致すると前記判定部が判定した場合に、前記決定部は、前記１つの特定色に対応する送信先を前記記憶部から読み出して、前記送信先に決定し、
前記画像形成部は、前記特定色を示す画像と、前記送信先を示す画像とを対応付けて前記別の記録媒体に形成する、請求項１０に記載の画像形成装置。
【発明の詳細な説明】
【技術分野】
【０００１】
本発明は、画像読取装置、及び画像形成装置に関する。
【背景技術】
【０００２】
特許文献１に記載の画像形成装置は、原稿の画像を読み取って生成した画像情報を画像フォーマットに変換する際に、画像フォーマット毎の送信単位を定める。そして、画像形成装置は、画像フォーマットに変換される画像情報を送信単位毎に分割して順次ホスト装置に送信する。
【先行技術文献】
【特許文献】
【０００３】
【特許文献１】特開２００９−２７３２８号公報
【発明の概要】
【発明が解決しようとする課題】
【０００４】
特許文献１に記載の画像形成装置によれば、全ての画像情報を画像フォーマットに変換する前に、画像情報をホスト装置に送信できる。その結果、ファイル単位での送信と比較してホスト装置への送信を早期に開始できる。したがって、画像データのホスト装置への送信を早期に完了できる。しかしながら、画像情報を送信する送信先の決定に関して、改善の余地が残されている。
【０００５】
本発明は、上記課題に鑑みてなされたものであり、画像情報を送信する送信先をユーザーが容易に決定することが可能な画像読取装置、及び画像形成装置を提供することを目的としている。
【課題を解決するための手段】
【０００６】
本発明の画像読取装置は、原稿に記載された画像を読み取る画像読取装置である。前記画像読取装置は、読取部、検出部、判定部、及び決定部を備える。前記読取部は、前記原稿を読み取り、前記原稿の記録媒体の色と前記画像とを示す原稿情報を生成する。前記検出部は、前記原稿情報に基づき、前記原稿の記録媒体の色を検出する。前記判定部は、前記原稿の記録媒体の色が、複数の特定色のうちいずれか一つの特定色と一致するか否かを判定する。前記決定部は、前記原稿の記録媒体の色が前記一つの特定色と一致すると前記判定部が判定した場合に、前記一つの特定色に基づいて、前記原稿情報の送信先を決定する。
【０００７】
本発明の画像形成装置は、原稿に記載された画像を読み取る画像読取装置を備える。前記画像形成装置は、読取部、検出部、判定部、及び決定部を備える。前記読取部は、前記原稿を読み取り、前記原稿の記録媒体の色と前記画像とを示す原稿情報を生成する。前記検出部は、前記原稿情報に基づき、前記原稿の記録媒体の色を検出する。前記判定部は、前記原稿の記録媒体の色が、複数の特定色のうちいずれか一つの特定色と一致するか否かを判定する。前記決定部は、前記原稿の記録媒体の色が前記一つの特定色と一致すると前記判定部が判定した場合に、前記一つの特定色に基づいて、前記原稿情報の送信先を決定する。
【発明の効果】
【０００８】
本発明の画像読取装置、及び画像形成装置によれば、原稿情報を送信する送信先をユーザーが容易に決定できる。
【図面の簡単な説明】
【０００９】
【図１】本発明の実施形態に係る画像形成装置の接続状態を示す図である。
【図２】本発明の実施形態に係る画像形成装置の構成を示す斜視図である。
【図３】本発明の実施形態に係る制御部の構成を示す図である。
【図４】色記憶部が記憶する情報を示す図である。
【図５】制御部の登録処理を示すフローチャートである。
【図６】給紙トレイに載置されたカラー用紙と原稿とを示す図である。（ａ）は、カラー用紙が、カラー用紙に対応する原稿の上側に載置される態様を示す図であり、（ｂ）は、カラー用紙が、カラー用紙に対応する原稿の下側に載置される態様を示す図である。
【図７】制御部の処理の一例を示すフローチャートである。
【図８】制御部の処理の一例を示すフローチャートである。
【図９】制御部の処理の図７及び図８とは別の一例を示すフローチャートである。
【図１０】制御部の処理の図７及び図８とは別の一例を示すフローチャートである。
【図１１】制御部の処理の図７及び図８とは別の一例を示すフローチャートである。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して、本発明の実施形態に係る画像形成装置１００の接続状態について説明する。図１に示すように、画像形成装置１００は、ネットワーク４００を介して、他の複数台の画像形成装置２００、及び複数台のパーソナルコンピューター（ＰＣ）３００と通信可能に接続される。
【００１２】
画像形成装置１００及び画像形成装置２００は、いわゆる、複合機であって、通信機能を有する。画像形成装置１００は、ネットワーク４００を介して、画像形成装置２００との間で画像情報の送受信を行う。
【００１３】
パーソナルコンピューター３００は、通信機能を有する。画像形成装置１００は、ネットワーク４００を介して、パーソナルコンピューター３００との間で画像情報の送受信を行う。
【００１４】
ネットワーク４００は、例えば、インターネットである。ネットワーク４００は、インターネットに限定されない。ネットワーク４００が、ＬＡＮ（Ｌｏｃａｌ  Ａｒｅａ  Ｎｅｔｗｏｒｋ）である形態でもよいし、ネットワーク４００が、ＷＡＮ（Ｗｉｄｅ  Ａｒｅａ  Ｎｅｔｗｏｒｋ）である形態でもよい。
【００１５】
以上、図１を参照して説明したように、画像形成装置１００が他の複数台の画像形成装置２００、及び複数台のパーソナルコンピューター３００と通信可能に接続されるが、本発明はこれに限定されない。画像形成装置１００が複数台の装置と通信可能に接続されていればよい。複数台の装置は、例えば、複数台のスマートフォンでもよい。
【００１６】
次に、図１及び図２を参照して、本実施形態に係る画像形成装置１００の構成について説明する。図２は、画像形成装置１００の構成を示す図である。画像形成装置１００は、カラー複合機である。画像形成装置１００は、第１原稿Ｒ及び第２原稿Ｃの画像を読み取ると共に、トナーを用いて用紙Ｐに画像を形成する装置である。第１原稿Ｒは、白色の用紙の原稿を示す。第２原稿Ｃは、白色以外の色の用紙の原稿を示す。
【００１７】
図２に示すように、画像形成装置１００は、画像形成ユニット１、画像読取ユニット２、原稿搬送ユニット３、操作表示部４、及び制御部５を備える。画像形成ユニット１は、用紙Ｐに画像を形成する。画像読取ユニット２は、第１原稿Ｒ及び第２原稿Ｃのそれぞれの画像を読み取り、複数の画像情報を生成する。原稿搬送ユニット３は、第１原稿Ｒ及び第２原稿Ｃを画像読取ユニット２に搬送する。原稿搬送ユニット３は、給送トレイ３１を備える。給送トレイ３１には、第１原稿Ｒ及び第２原稿Ｃが積層されて載置される。制御部５は、画像形成装置１００の動作を制御する。画像読取ユニット２は、「画像読取装置」の一部に相当する。原稿搬送ユニット３は、「給送部」の一例に相当する。画像形成ユニット１は、「画像形成部」の一部に相当する。
【００１８】
第１原稿Ｒは、白色の第１用紙を有する。第１用紙には、画像が形成されている。白色は、「基本色」の一例に相当する。第２原稿Ｃは、白色以外の色（例えば、赤色、緑色、青色）の第２用紙を有する。第２用紙には画像が形成されている。ただし、第２用紙には、画像が形成されていなくてもよい。本発明の実施形態では、第２用紙には、画像が形成されていない。第２原稿Ｃは、積層された第１原稿Ｒの上側又は下側に配置される。
【００１９】
画像形成ユニット１は、給送部１２、搬送部Ｌ、トナー供給部１３、形成実行部１４、定着部１６及び排出部１７を備える。形成実行部１４は、転写部１５を含む。
【００２０】
給送部１２は、用紙Ｐを搬送部Ｌへ供給する。搬送部Ｌは、用紙Ｐを転写部１５及び定着部１６を経由して排出部１７まで搬送する。用紙Ｐは、「別の記録媒体」の一例に相当する。
【００２１】
トナー供給部１３は、形成実行部１４にトナーを供給する。形成実行部１４は、用紙Ｐに画像を形成する。
【００２２】
転写部１５は、中間転写ベルト１５４を備える。形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２３】
定着部１６は、用紙Ｐを加熱及び加圧し、用紙Ｐに形成された画像を用紙Ｐに定着する。排出部１７は、用紙Ｐを画像形成装置１００の外部へ排出する。
【００２４】
操作表示部４は、ユーザーからの操作を受け付ける。操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２５】
次に、図１〜図３を参照して、本発明の実施形態に係る制御部５の構成について説明する。図３は、制御部５の構成を示す図である。図３に示すように、制御部５は、プロセッサー５Ａ及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。制御部５は、「画像読取装置」の一部に相当する。
【００２６】
プロセッサー５Ａは、読取部５０１、検出部５０２、判定部５０３、分割部５０４、第１決定部５０５、送信部５０６、取得部５０７、第２決定部５０８、受付部５０９及び指示部５１０を備える。具体的には、プロセッサー５Ａは、制御プログラムを実行することによって、読取部５０１、検出部５０２、判定部５０３、分割部５０４、第１決定部５０５、送信部５０６、取得部５０７、第２決定部５０８、受付部５０９及び指示部５１０として機能する。記憶部５Ｂは、色記憶部５Ｂ１を備える。
【００２７】
色記憶部５Ｂ１は、複数の特定色ＳＣを示す情報を、複数の原稿情報ＭＪの送信先ＡＤを示す情報と対応付けて記憶する。
【００２８】
読取部５０１は、画像読取ユニット２を介して、第１原稿Ｒの画像を読み取り、第１原稿Ｒの用紙の色と画像とを示す原稿情報ＭＪを生成する。読取部５０１は、画像読取ユニット２を介して、第２原稿Ｃの画像を読み取り、第２原稿Ｃの用紙の色と画像とを示す原稿情報ＭＪを生成する。このようにして、読取部５０１は、複数の原稿情報ＭＪを生成する。
【００２９】
検出部５０２は、複数の原稿情報ＭＪに基づき、第１原稿Ｒの用紙ＰＡの色ＣＡと、第２原稿Ｃの用紙ＰＡの色ＣＡを検出する。用紙ＰＡは、「記録媒体」の一例に相当する。
【００３０】
判定部５０３は、検出部５０２が検出した用紙ＰＡの色ＣＡが白色であるか否かを判定する。また、検出部５０２が検出した用紙ＰＡの色ＣＡが、白色以外の複数の特定色ＳＣのうち、いずれか１つの特定色ＳＣと一致するか否かを判定する。
【００３１】
分割部５０４は、所定枚数ＮＣの第２原稿Ｃに基づいて、複数の原稿情報ＭＪを所定個数ＮＪの原稿情報ＭＪＡに分割する。所定個数ＮＪは、所定枚数ＮＣに対応する。
【００３２】
第１決定部５０５は、判定部５０３が用紙ＰＡの色ＣＡが１つの特定色ＳＣと一致すると判定した場合に、１つの特定色ＳＣに基づいて、複数の原稿情報ＭＪの送信先ＡＤを決定する。第１決定部５０５は、「決定部」の一部に相当する。
【００３３】
送信部５０６は、第１決定部５０５が決定した送信先ＡＤに対して、複数の原稿情報ＭＪを送信する。具体的には、送信部５０６は、第１決定部５０５が決定した送信先ＡＤに対して、所定個数ＮＪの原稿情報ＭＪＡをそれぞれ送信する。
【００３４】
取得部５０７は、用紙ＰＡの色ＣＡが複数の特定色ＳＣのうちいずれか１つの特定色ＳＣと一致すると判定部５０３が判定した場合に、用紙ＰＡの画像情報に含まれるテキスト情報を取得する。
【００３５】
第２決定部５０８は、用紙ＰＡの色ＣＡが白色ではなく、且つ、複数の特定色ＳＣのうちいずれの特定色ＳＣとも一致しないと判定部５０３が判定した場合に、複数の原稿情報ＭＪの送信先ＡＤを決定する。第２決定部５０８は、「決定部」の一部に相当する。
【００３６】
受付部５０９は、用紙ＰＡの色ＣＡが白色ではなく、且つ、用紙ＰＡの色ＣＡが複数の特定色ＳＣのうちいずれの特定色ＳＣとも一致しないと判定部５０３が判定した場合に、送信先ＡＤを受け付ける。
【００３７】
指示部５１０は、特定色ＳＣを示す画像と、送信先ＡＤを示す画像とを対応付けて用紙Ｐに形成するように画像形成ユニット１に指示する。
【００３８】
以上、図１〜図３を参照して説明したように、本発明の実施形態では、判定部５０３は、用紙ＰＡの色ＣＡが、複数の特定色ＳＣのうち、いずれか１つの特定色ＳＣと一致するか否かを判定する。用紙ＰＡの色ＣＡが１つの特定色ＳＣと一致すると判定部５０３が判定した場合に、第１決定部５０５が１つの特定色ＳＣに基づいて複数の原稿情報ＭＪの送信先ＡＤを決定する。したがって、ユーザーが所望する送信先ＡＤに対応する色ＣＡの用紙ＰＡ（第２原稿Ｃ）を読取部５０１が読み取ることによって、複数の原稿情報ＭＪの送信先ＡＤをユーザーが容易に決定できる。
【００３９】
次に、図１〜図４を参照して、色記憶部５Ｂ１が記憶する情報について説明する。図４は、色記憶部５Ｂ１が記憶する情報を示す図である。図４に示すように、色記憶部５Ｂ１には、識別番号ＮＢ、色値の範囲ＲＣ及び送信先ＡＤが対応付けて記憶されている。
【００４０】
識別番号ＮＢは、色値の範囲ＲＣで規定される特定色ＳＣを識別する番号である。
【００４１】
色値の範囲ＲＣは、特定色ＳＣを規定する。色値の範囲ＲＣは、Ｒ色成分ＲＣ１、Ｇ色成分ＲＣ２及びＢ色成分ＲＣ３を有する。Ｒ色成分ＲＣ１は、特定色ＳＣのＲ（赤）色成分の範囲を規定する。Ｇ色成分ＲＣ２は、特定色ＳＣのＧ（緑）色成分の範囲を規定する。Ｂ色成分ＲＣ３は、特定色ＳＣのＢ（青）色成分の範囲を規定する。例えば、Ｒ色成分ＲＣ１、Ｇ色成分ＲＣ２及びＢ色成分ＲＣ３は、それぞれ８ビット（２５６階層）で規定される。識別番号ＮＢが「１」のＲ色成分ＲＣ１は、２００より大きく２５５以下であり、Ｇ色成分ＲＣ２は、５０以下であり、Ｂ色成分ＲＣ３は、５０以下である。識別番号ＮＢが「１」の色値の範囲ＲＣは、例えば、赤色の用紙ＲＡを示す。
【００４２】
送信先ＡＤは、例えば、メールアドレスである。例えば、識別番号ＮＢが「１」の送信先ＡＤは、「ａａａ＠ａｂｃ．ｃｏ．ｊｐ」である。
【００４３】
判定部５０３は、色値の範囲ＲＣに基づいて、検出部５０２が検出した用紙ＰＡの色ＣＡが、複数の特定色ＳＣのうちいずれか１つの特定色と一致するか否かを判定する。具体的には、用紙ＰＡの色ＣＡの色値が、特定色ＳＣに対応する色値の範囲ＲＣに含まれるか否かに応じて、特定色ＳＣのうちいずれか１つの特定色と一致するか否かを判定する。
【００４４】
第１決定部５０５は、送信先ＡＤを色記憶部５Ｂ１から読み出して、送信先ＡＤに決定する。送信先ＡＤは、１つの特定色ＳＣに対応する。１つの特定色ＳＣは、用紙ＰＡの色ＣＡの色値が、色値の範囲ＲＣに含まれると判定部５０３が判定した特定色ＳＣである。
【００４５】
以上、図１〜図４を参照して説明したように、本発明の実施形態では、第１決定部５０５は、送信先ＡＤを示す情報を色記憶部５Ｂ１から読み出して、送信先ＡＤに決定する。送信先ＡＤは、用紙ＰＡの色ＣＡが一致すると判定部５０３が判定した１つの特定色ＳＣに対応する。よって、第１決定部５０５が適正な送信先ＡＤを決定できる。したがって、複数の原稿情報ＭＪの送信先ＡＤをユーザーが適正に決定できる。
【００４６】
また、判定部５０３は、色値の範囲ＲＣに基づいて、検出部５０２が検出した用紙ＰＡの色ＣＡが、複数の特定色ＳＣのうちいずれか１つの特定色と一致するか否かを判定する。したがって、色値の範囲ＲＣを適正に設定することによって、第２原稿Ｃの用紙ＰＡの色を適正に規定できる。
【００４７】
更に、指示部５１０は、特定色ＳＣを示す画像と、送信先ＡＤを示す画像とを対応付けて用紙Ｐに形成するよう画像形成ユニット１に指示する。したがって、ユーザーは各特定色ＳＣに対応する送信先ＡＤを容易に確認できる。
【００４８】
次に、図１〜図５を参照して、制御部５の「登録処理」について説明する。図５は、「登録処理」を示すフローチャートである。「登録処理」は、色値の範囲ＲＣと送信先ＡＤとを対応付けて色記憶部５Ｂ１に記憶する処理を示す。
【００４９】
まず、ステップＳ１０１において、制御部５が、ユーザーによるタッチパネル４１の操作に基づいて、複数の原稿情報ＭＪを送信する際に用いるプロトコルを選択する。プロトコルは、例えば、ＳＭＴＰ（Ｓｉｍｐｌｅ  Ｍａｉｌ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、及びＳＭＢ（Ｓｅｒｖｅｒ  Ｍｅｓｓａｇｅ  Ｂｌｏｃｋ）を含む。本発明の実施形態では、プロトコルがＳＭＴＰである場合について説明する。
次に、ステップＳ１０３において、制御部５が、ユーザーによるタッチパネル４１の操作に基づいて、送信先ＡＤを取得する。
次に、ステップＳ１０５において、制御部５が、第２原稿Ｃの画像を読み取り、原稿情報ＭＪを生成する。
【００５０】
次に、ステップＳ１０７において、制御部５が、ステップＳ１０５で生成した原稿情報ＭＪに基づき、第２原稿Ｃの用紙ＰＡの色値を算出し、算出した色値をタッチパネル４１に表示する。
次に、ステップＳ１０９において、制御部５が、ユーザーによるタッチパネル４１の操作に基づいて、色値の範囲ＲＣを決定する。
次に、ステップＳ１１１において、制御部５が、送信先ＡＤと色値の範囲ＲＣとを対応付けて、色記憶部５Ｂ１に記憶する。
次に、ステップＳ１１３において、制御部５が、ユーザーによるタッチパネル４１の操作に基づいて、登録処理を終了するか否かを判定する。
登録処理を終了すると判定した場合（ステップＳ１１３でＹＥＳ）には、処理が終了する。登録処理を終了しないと判定した場合（ステップＳ１１３でＮＯ）には、処理がステップＳ１０１にリターンする。
【００５１】
以上、図１〜図５を参照して説明したように、本発明の実施形態では、制御部５が「登録処理」を実行することによって、色値の範囲ＲＣと送信先ＡＤとを対応付けて色記憶部５Ｂ１に記憶する。したがって、ユーザーは、色値の範囲ＲＣと送信先ＡＤとを容易に色記憶部５Ｂ１に記憶できる。
【００５２】
次に、図１〜図６を参照して、給送トレイ３１に載置された第２原稿Ｃと第１原稿Ｒとの態様について説明する。図６は、給送トレイ３１に載置された第２原稿Ｃと第１原稿Ｒとを示す図である。第２原稿Ｃは、第１原稿Ｒの原稿情報ＭＪの送信先を示す。具体的には、第２原稿Ｃの用紙ＰＡの色ＣＡが、複数の特定色ＳＣのうちいずれか１つの特定色と一致し、１つの特定色に１つの送信先ＡＤが対応する。図６（ａ）は、第２原稿Ｃが、第２原稿Ｃに対応する第１原稿Ｒの上側に載置される態様を示す図であり、図６（ｂ）は、第２原稿Ｃが、第２原稿Ｃに対応する第１原稿Ｒの下側に載置される態様を示す図である。「第２原稿Ｃに対応する第１原稿Ｒ」とは、第２原稿Ｃが第１原稿Ｒの原稿情報ＭＪの送信先ＡＤを示すことを意味する。
【００５３】
図６（ａ）及び図６（ｂ）に示すように、第２原稿Ｃは、第２原稿Ｃ１、第２原稿Ｃ２及び第２原稿Ｃ３を含む。第１原稿Ｒは、第１原稿Ｒ１、第１原稿Ｒ２及び第１原稿Ｒ３を含む。第２原稿Ｃ１、第２原稿Ｃ２及び第２原稿Ｃ３と、第１原稿Ｒ１、第１原稿Ｒ２及び第１原稿Ｒ３とは、給送トレイ３１に載置されている。以下の説明では、第１原稿Ｒ１のうち、最上の原稿を第１原稿Ｒ１Ｔ、最下の原稿を第１原稿Ｒ１Ｂと記載する。また、第１原稿Ｒ２のうち、最上の原稿を第１原稿Ｒ２Ｔ、最下の原稿を第１原稿Ｒ２Ｂと記載する。更に、第１原稿Ｒ３のうち、最上の原稿を第１原稿Ｒ３Ｔ、最下の原稿を第１原稿Ｒ３Ｂと記載する。
【００５４】
図６（ａ）に示すように、給送トレイ３１には、上側から下側に向けて、第２原稿Ｃ１、第１原稿Ｒ１、第２原稿Ｃ２、第１原稿Ｒ２、第２原稿Ｃ３、第１原稿Ｒ３の順に積層されている。第２原稿Ｃ１は、第１原稿Ｒ１の送信先ＡＤを示す。第２原稿Ｃ２は、第１原稿Ｒ２の送信先ＡＤを示す。第２原稿Ｃ３は、第１原稿Ｒ３の送信先ＡＤを示す。
【００５５】
この場合には、分割部５０４は、第２原稿Ｃに対応する原稿情報ＭＪと、第２原稿Ｃの直前に読み取られた第１原稿Ｒに対応する原稿情報ＭＪとの間で、複数の原稿情報ＭＪを所定個数ＮＪの原稿情報ＭＪＡに分割する。具体的には、分割部５０４は、第２原稿Ｃ２に対応する原稿情報ＭＪと、第２原稿Ｃ２の直前に読み取られた第１原稿Ｒ１Ｂに対応する原稿情報ＭＪとの間で、複数の原稿情報ＭＪを分割する。また、分割部５０４は、第２原稿Ｃ３に対応する原稿情報ＭＪと、第２原稿Ｃ３の直前に読み取られた第１原稿Ｒ２Ｂに対応する原稿情報ＭＪとの間で、複数の原稿情報ＭＪを分割する。更に具体的には、分割部５０４は、複数の原稿情報ＭＪを、第１原稿情報ＭＪ１と、第２原稿情報ＭＪ２と、第３原稿情報ＭＪ３とに分割する。第１原稿情報ＭＪ１は、第２原稿Ｃ２より前に読み取られた第２原稿Ｃ１及び第１原稿Ｒ１の原稿情報ＭＪを示す。第２原稿情報ＭＪ２は、第２原稿Ｃ３より前に読み取られた第２原稿Ｃ２及び第１原稿Ｒ２の原稿情報ＭＪを示す。第３原稿情報ＭＪ３は、第２原稿Ｃ３以降に読み取られた第２原稿Ｃ３及び第１原稿Ｒ３の原稿情報を示す。
【００５６】
図６（ｂ）に示すように、給送トレイ３１には、上側から下側に向けて、第１原稿Ｒ１、第２原稿Ｃ１、第１原稿Ｒ２、第２原稿Ｃ２、第１原稿Ｒ３、第２原稿Ｃ３の順に積層されている。第２原稿Ｃ１は、第１原稿Ｒ１の送信先ＡＤを示す。第２原稿Ｃ２は、第１原稿Ｒ２の送信先ＡＤを示す。第２原稿Ｃ３は、第１原稿Ｒ３の送信先ＡＤを示す。
【００５７】
この場合には、分割部５０４は、第２原稿Ｃと第２原稿Ｃの直後に読み取られた第１原稿Ｒとの間で、複数の原稿情報ＭＪを所定個数ＮＪの原稿情報ＭＪＡに分割する。具体的には、分割部５０４は、第２原稿Ｃ１に対応する原稿情報ＭＪと、第２原稿Ｃ１の直後に読み取られた第１原稿Ｒ２Ｔに対応する原稿情報ＭＪとの間で、複数の原稿情報ＭＪを分割する。また、分割部５０４は、第２原稿Ｃ２に対応する原稿情報ＭＪと第２原稿Ｃ２の直後に読み取られた第１原稿Ｒ３Ｔに対応する原稿情報ＭＪとの間で、複数の原稿情報ＭＪを分割する。分割部５０４は、複数の原稿情報ＭＪを、第１原稿情報ＭＪ１と、第２原稿情報ＭＪ２と、第３原稿情報ＭＪ３とに分割する。第１原稿情報ＭＪ１は、第２原稿Ｃ１以前に読み取られた第２原稿Ｃ１及び第１原稿Ｒ１の原稿情報ＭＪを示す。第２原稿情報ＭＪ２は、第２原稿Ｃ２以前に読み取られた第２原稿Ｃ２及び第１原稿Ｒ２の原稿情報ＭＪを示す。第３原稿情報ＭＪ３は、第２原稿Ｃ３以前に読み取られた第２原稿Ｃ３及び第１原稿Ｒ３の原稿情報ＭＪを示す。
【００５８】
送信部５０６は、第１決定部５０５が決定した送信先ＡＤに対して、所定個数ＮＪの原稿情報ＭＪをそれぞれ送信する。具体的には、送信部５０６は、第１原稿情報ＭＪ１を第２原稿Ｃ１が示す第１送信先ＡＤ１に送信する。また、送信部５０６は、第２原稿情報ＭＪ２を第２原稿Ｃ２が示す第２送信先ＡＤ２に送信する。更に、送信部５０６は、第３原稿情報ＭＪ３を第２原稿Ｃ３が示す第３送信先ＡＤ３に送信する。
【００５９】
以上、図１〜図６を参照して説明したように、本発明の実施形態では、第２原稿Ｃが、第２原稿Ｃに対応する第１原稿Ｒの上側に載置される場合には、分割部５０４が、第２原稿Ｃに対応する原稿情報ＭＪと、第２原稿Ｃの直前に読み取られた第１原稿Ｒに対応する原稿情報ＭＪとの間で、複数の原稿情報ＭＪを所定個数ＮＪに分割する。所定個数ＮＪは所定枚数ＮＣに対応する。所定枚数ＮＣは、第２原稿Ｃの枚数を示す。したがって、第１原稿Ｒの直前にその第１原稿Ｒの送信先ＡＤを示す第２原稿Ｃが読取部５０１によって読み取られるように、所定枚数ＮＣの第２原稿Ｃと所定枚数ＮＣ以上の第１原稿Ｒとを積層することによって、複数の原稿情報ＭＪを送信先ＡＤ毎に所定個数ＮＪに分割できる。
【００６０】
また、第２原稿Ｃが、第２原稿Ｃに対応する第１原稿Ｒの下側に載置される場合には、分割部５０４が、第２原稿Ｃに対応する原稿情報ＭＪと、第２原稿Ｃの直後に読み取られた第１原稿Ｒに対応する原稿情報ＭＪとの間で、複数の原稿情報ＭＪを、所定個数ＮＪに分割する。したがって、第１原稿Ｒの直後にその第１原稿Ｒの送信先ＡＤを示す第２原稿Ｃが読取部５０１によって読み取られるように、所定枚数ＮＣの第２原稿Ｃと所定枚数ＮＣ以上の第１原稿Ｒとを積層することによって、複数の原稿情報ＭＪを送信先ＡＤ毎に所定個数ＮＪに分割できる。
【００６１】
更に、第１決定部５０５が決定した送信先ＡＤに対して、送信部５０６が所定個数ＮＪの原稿情報ＭＪをそれぞれ送信する。したがって、ユーザーが送信先ＡＤに対応する特定色ＳＣの第２原稿Ｃを第１原稿Ｒに対応付けて積層することによって所定個数ＮＪの原稿情報ＭＪをそれぞれ適切な送信先ＡＤに送信できる。
【００６２】
次に、図１〜図８を参照して、制御部５の処理について説明する。図７及び図８は、制御部５の処理の一例を示すフローチャートである。図７及び図８では、図６（ｂ）に示すように、第２原稿Ｃが、第２原稿Ｃに対応する第１原稿Ｒの下側に載置される場合について説明する。
まず、ステップＳ２０１において、読取部５０１は、画像読取ユニット２を介して、１枚の第１原稿Ｒの画像を読み取り、用紙ＰＡの色ＣＡと画像とを示す原稿情報ＭＪを生成する。又は、読取部５０１は、画像読取ユニット２を介して、１枚の第２原稿Ｃの画像を読み取り、用紙ＰＡの色ＣＡと画像とを示す原稿情報ＭＪを生成する。
次に、ステップＳ２０３において、検出部５０２が、ステップＳ２０１で生成した原稿情報ＭＪに基づき、用紙ＰＡの色ＣＡを検出する。
次に、ステップＳ２０５において、判定部５０３が、用紙ＰＡの色ＣＡが白色であるか否かを判定する。
検出部５０２が検出した用紙ＰＡの色ＣＡが白色ではないと判定した場合（ステップＳ２０５でＮＯ）には、処理がステップＳ２１１に進む。検出部５０２が検出した用紙ＰＡの色ＣＡが白色であると判定した場合（ステップＳ２０５でＹＥＳ）には、処理がステップＳ２０７に進む。
そして、ステップＳ２０７において、判定部５０３が、ステップＳ２０１において読取部５０１が読み取った原稿は第１原稿Ｒであると判定する。
次に、ステップＳ２０９において、制御部５が、ステップＳ２０１で生成した原稿情報ＭＪを記憶部５Ｂに記憶する。
【００６３】
ステップＳ２０５でＮＯの場合には、ステップＳ２１１において、判定部５０３が、ステップＳ２０１において読取部５０１が読み取った原稿は第２原稿Ｃであると判定する。
次に、ステップＳ２１３において、分割部５０４は、第２原稿Ｃの原稿情報ＭＪと第２原稿Ｃの前に読み取られた原稿情報ＭＪとで１つのグループＧを生成する。
次に、ステップＳ２１５において、判定部５０３は、検出部５０２が検出した用紙ＰＡの色ＣＡの色値が、白色以外の複数の特定色ＳＣのうち、いずれか１つの特定色ＳＣの色値の範囲ＲＣに含まれるか否かを判定する。
用紙ＰＡの色ＣＡの色値がいずれか１つの特定色ＳＣの色値の範囲ＲＣに含まれないと判定した場合（ステップＳ２１５でＮＯ）には、処理が図８のステップＳ２２３に進む。用紙ＰＡの色ＣＡの色値がいずれか１つの特定色ＳＣの色値の範囲ＲＣに含まれると判定した場合（ステップＳ２１５でＹＥＳ）には、処理がステップＳ２１７に進む。
【００６４】
そして、ステップＳ２１７において、第１決定部５０５が色値の範囲ＲＣに基づいて複数の原稿情報ＭＪの送信先ＡＤを決定する。具体的には、第１決定部５０５が、１つの特定色ＳＣの色値の範囲ＲＣに対応する送信先ＡＤを色記憶部５Ｂ１から読み出して、読みだした送信先ＡＤを送信先ＡＤに決定する。
次に、ステップＳ２１９において、送信部５０６が、グループＧに含まれる原稿情報ＭＪを記憶部５Ｂから読み出して、送信先ＡＤに送信する。
次に、ステップＳ２２１において、制御部５が給送トレイ３１に原稿が残っているか否かを判定する。
給送トレイ３１に原稿が残っていないと制御部５が判定した場合（ステップＳ２２１でＮＯ）には、処理が終了する。給送トレイ３１に第１原稿Ｒが残っていると制御部５が判定した場合（ステップＳ２２１でＹＥＳ）には、処理がステップＳ２０１へリターンする。
【００６５】
ステップＳ２１５でＮＯの場合には、図８に示すステップＳ２２３において、受付部５０９が、ユーザーによるタッチパネル４１の操作に基づき、送信先ＡＥを受け付ける。
次に、ステップＳ２２５において、第２決定部５０８は、送信先ＡＥを原稿情報ＭＪの送信先ＡＤに決定し、送信部５０６が、グループＧに含まれる原稿情報ＭＪを記憶部５Ｂから読み出して、送信先ＡＤに送信する。
次に、ステップＳ２２７において、制御部５は、ユーザーによるタッチパネル４１の操作に基づき、ステップＳ２２３で受け付けた送信先ＡＥを登録するか否かを判定する。
送信先ＡＥを登録しないと判定した場合（ステップＳ２２７でＮＯ）には、処理が図７のステップＳ２２１に進む。送信先ＡＥを登録すると判定した場合（ステップＳ２２７でＹＥＳ）には、処理がステップＳ２２９に進む。
そして、ステップＳ２２９において、制御部５が、図７のステップＳ２０１で生成した原稿情報ＭＪに基づき、第２原稿Ｃの用紙ＰＡの色値を算出し、算出した色値をタッチパネル４１に表示する。
次に、ステップＳ２３１において、制御部５が、ユーザーによるタッチパネル４１の操作に基づいて、色値の範囲ＲＣを決定する。
次に、ステップＳ２３３において、制御部５が、送信先ＡＥと色値の範囲ＲＣとを対応付けて、色記憶部５Ｂ１に記憶し、処理が図７のステップＳ２２１に進む。
【００６６】
以上、図１〜図８を参照して説明したように、本発明の実施形態では、検出部５０２が検出した用紙ＰＡの色ＣＡが複数の特定色ＳＣのいずれの色とも一致しないと判定部５０３が判定した場合に、受付部５０９が送信先ＡＥを受け付ける。そして、第２決定部５０８が、送信先ＡＥを原稿情報ＭＪの送信先ＡＤに決定する。したがって、複数の原稿情報ＭＪをユーザーが所望する送信先ＡＤに送信できる。
【００６７】
以上、図１〜図８を参照して説明したように、本発明の実施形態では、検出部５０２が検出した用紙ＰＡの色ＣＡが複数の特定色ＳＣのいずれの色とも一致しないと判定した場合に、第２決定部５０８が、送信先ＡＥを原稿情報ＭＪの送信先ＡＤに決定するが、本発明はこれに限定されない。第２決定部５０８が、原稿情報ＭＪの送信先ＡＤを決定すればよい。例えば、第２決定部５０８が、送信先ＡＤを予め設定された送信先ＡＦに決定する形態でもよい。送信先ＡＦは、例えば、画像形成装置１００の管理者が利用するパーソナルコンピューター３００を示すことが好ましい。この形態では、画像形成装置１００の管理者が原稿情報ＭＪを適切な送信先ＡＤに転送することができる。
【００６８】
また、本発明の実施形態では、第１決定部５０５が色記憶部５Ｂ１から読み出して送信先ＡＤを決定するが、本発明はこれに限定されない。第１決定部５０５が特定色ＳＣに基づいて送信先ＡＤを決定すればよい。例えば、第１決定部５０５が、第２原稿Ｃに記載されたテキストＴＸに基づいて、送信先ＡＤを決定する形態でもよい。
【００６９】
具体的には、取得部５０７が、第２原稿Ｃに記載されたテキストＴＸを取得し、第１決定部５０５が、第２原稿Ｃに記載されたテキストＴＸに基づいて、送信先ＡＤを決定する。更に具体的には、取得部５０７は、検出部５０２が検出した用紙ＰＡの色ＣＡが複数の特定色ＳＣのうちいずれか１つの特定色ＳＣと一致すると判定部５０３が判定した場合に、用紙ＰＡの原稿情報ＭＪに含まれるテキスト情報を取得する。第１決定部５０５は、テキスト情報に基づいて送信先ＡＤを決定する。
【００７０】
例えば、第２原稿ＣにメールアドレスＭＡをテキストＴＸとして記載しておく。そして、取得部５０７が、メールアドレスＭＡを読み取って、第１決定部５０５は、メールアドレスＭＡを送信先ＡＤに決定する。
【００７１】
この形態では、用紙ＰＡの色ＣＡが複数の特定色ＳＣのうちいずれか１つの特定色ＳＣと一致すると判定部５０３が判定した場合に、一致すると判定された第２原稿Ｃの原稿情報ＭＪに含まれるテキスト情報を取得部５０７が取得する。そして、取得部５０７が取得したテキスト情報に基づいて、第１決定部５０５が送信先ＡＤを決定する。よって、例えば、特定色ＳＣが２色である場合であっても、第２原稿ＣにテキストＴＸを記載することによって、原稿情報ＭＪを送信する送信先ＡＤを、テキストＴＸが示す多数の（例えば、１００個の）送信先ＡＤに決定できる。したがって、簡素な構成で多数の送信先ＡＤを決定できる。
【００７２】
次に、図１〜図１１を参照して、制御部５の処理について更に説明する。図９〜図１１は、制御部５の処理の図７及び図８とは別の一例を示すフローチャートである。図９〜図１１に示す処理は、読取部５０１が給送トレイ３１に載置された全ての第１原稿Ｒ及び第２原稿Ｃの画像を連続して読み取り、原稿情報ＭＪを生成する点で、図７及び図８に示す処理と相違する。
【００７３】
換言すれば、図７及び図８に示す処理では、複数の原稿情報ＭＪを生成する処理と、複数の原稿情報ＭＪを分割する処理と、原稿情報ＭＪを送信する処理とを順次行う。これに対して、図９〜図１１に示す処理では、複数の原稿情報ＭＪを生成する処理を一括して行い、複数の原稿情報ＭＪを分割する処理と、原稿情報ＭＪを送信する処理とを一括して行う。図９〜図１１では、図６（ｂ）に示すように、給送トレイ３１において、第２原稿Ｃが、第２原稿Ｃに対応する第１原稿Ｒの下側に載置される場合について説明する。
【００７４】
まず、ステップＳ３０１において、読取部５０１が、全ての第１原稿Ｒ及び第２原稿Ｃの画像を連続して読み取り、用紙ＰＡの色ＣＡと画像とを示す原稿情報ＭＪを生成し、記憶部５Ｂに記憶する。
次に、ステップＳ３０３において、制御部５が、第１原稿Ｒ及び第２原稿Ｃの全枚数ＮＡを決定する。
次に、ステップＳ３０５において、制御部５が、カウンターＮを「１」に設定する。カウンターＮは、処理中の原稿情報ＭＪが、第１原稿Ｒ及び第２原稿Ｃの何枚目であるかを示す。
次に、ステップＳ３０７において、制御部５が、Ｎ枚目の原稿情報ＭＪＮを記憶部５Ｂから読み出す。
次に、ステップＳ３０９において、検出部５０２は、原稿情報ＭＪＮに基づき、Ｎ枚目の用紙ＰＡの色ＣＡを検出する。
【００７５】
次に、ステップＳ３１１において、判定部５０３は、色ＣＡが白色であるか否かを判定する。
色ＣＡが白色ではないと判定した場合（ステップＳ３１１でＮＯ）には、処理が図１０のステップＳ３１９に進む。色ＣＡが白色であると判定した場合（ステップＳ３１１でＹＥＳ）には、処理がステップＳ３１３に進む。
そして、ステップＳ３１３において、判定部５０３は、Ｎ枚目の原稿が第１原稿Ｒであると判定する。
次に、ステップＳ３１５において、制御部５が原稿情報ＭＪＮを記憶部５Ｂの所定領域５Ｂ２に記憶する。
次に、ステップＳ３１７において、制御部５が、カウンターＮの値を「１」だけインクリメントして、処理がステップＳ３０７に戻る。
【００７６】
ステップＳ３１１でＮＯの場合には、図１０に示すステップＳ３１９において、判定部５０３は、Ｎ枚目の原稿が第２原稿Ｃであると判定する。
次に、ステップＳ３２１において、分割部５０４は、第２原稿Ｃの原稿情報ＭＪと所定領域５Ｂ２に記憶された原稿情報ＭＪとで１つのグループＧを生成する。
次に、ステップＳ３２３において、判定部５０３は、Ｎ枚目の用紙ＰＡの色ＣＡの色値が、白色以外の複数の特定色ＳＣのうち、いずれか１つの特定色ＳＣの色値の範囲ＲＣに含まれるか否かを判定する。
Ｎ枚目の用紙ＰＡの色ＣＡの色値がいずれか１つの特定色ＳＣの色値の範囲ＲＣに含まれないと判定した場合（ステップＳ３２３でＮＯ）には、処理が図１１のステップＳ３３３に進む。Ｎ枚目の用紙ＰＡの色ＣＡの色値がいずれか１つの特定色ＳＣの色値の範囲ＲＣに含まれると判定した場合（ステップＳ３２３でＹＥＳ）には、処理がステップＳ３２５に進む。
【００７７】
そして、ステップＳ３２５において、第１決定部５０５が色値の範囲ＲＣに基づいて原稿情報ＭＪの送信先ＡＤを決定する。具体的には、第１決定部５０５が色記憶部５Ｂ１から色値の範囲ＲＣに対応する送信先ＡＤを読み出して、読みだした送信先ＡＤを送信先ＡＤに決定する。
次に、ステップＳ３２７において、送信部５０６が、グループＧに含まれる原稿情報ＭＪを所定領域５Ｂ２から読み出して、送信先ＡＤに送信する。
次に、ステップＳ３２９において、制御部５はカウンターＮの値が全枚数ＮＡ以上であるか否かを判定する。
カウンターＮの値が全枚数ＮＡ以上であると判定した場合（ステップＳ３２９でＹＥＳ）には、処理が終了する。カウンターＮの値が全枚数ＮＡ以上ではないと判定した場合（ステップＳ３２９でＮＯ）には、制御部５が、カウンターＮの値を「１」だけインクリメントして、処理が図９のステップＳ３０７に戻る。
【００７８】
ステップＳ３２３でＮＯの場合には、図１１に示すステップＳ３３３において、受付部５０９が、ユーザーによるタッチパネル４１の操作に基づき、送信先ＡＥを受け付ける。
次に、ステップＳ３３５において、第２決定部５０８は、送信先ＡＥを原稿情報ＭＪの送信先ＡＥに決定し、送信部５０６が、グループＧに含まれる原稿情報ＭＪを所定領域５Ｂ２から読み出して、送信先ＡＥに送信する。
次に、ステップＳ３３７において、制御部５は、ユーザーによるタッチパネル４１の操作に基づき、送信先ＡＥを登録するか否かを判定する。
送信先ＡＥを登録しないと制御部５が判定した場合（ステップＳ３３７でＮＯ）には、処理が図１０のステップＳ３２９に進む。送信先ＡＥを登録すると制御部５が判定した場合（ステップＳ３３７でＹＥＳ）には、処理がステップＳ３３９に進む。
そして、ステップＳ３３９において、制御部５が、Ｎ枚目の用紙ＰＡの原稿情報ＭＪに基づき、第２原稿Ｃの用紙ＰＡの色値を算出し、算出した色値をタッチパネル４１に表示する。
次に、ステップＳ３４１において、制御部５が、ユーザーによるタッチパネル４１の操作に基づいて、色値の範囲ＲＣを決定する。
次に、ステップＳ３４３において、制御部５が、送信先ＡＥと色値の範囲ＲＣとを対応付けて、色記憶部５Ｂ１に記憶し、処理が図１０のステップＳ３２９に進む。
【００７９】
以上、図１〜図１１を参照して説明したように、本発明の実施形態では、読取部５０１が給送トレイ３１に載置された全ての第１原稿Ｒ及び第２原稿Ｃの画像を連続して読み取り、原稿情報ＭＪを生成し、記憶部５Ｂに記憶してもよい。この形態では、全ての第１原稿Ｒ及び第２原稿Ｃの画像の読み取りが早期に完了するため、画像読取ユニット２及び原稿搬送ユニット３を使用する時間を短縮できる。したがって、ユーザーの利便性が向上する。
【００８０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８１】
（１）図１及び図２を参照して、画像読取装置が画像形成装置１００として構成される形態について説明したが、本発明はこれに限定されない。画像読取装置が、少なくとも、画像読取ユニット２及び制御部５を備えていればよい。また、画像読取装置が、原稿搬送ユニット３を更に備える形態が好ましい。この形態では、第２原稿Ｃと第１原稿Ｒとを給送トレイ３１に載置して、原稿搬送ユニット３が搬送した原稿を画像読取装置が読み取ることができる。また、操作表示部４を更に備える形態が好ましい。この形態では、ユーザーからの操作を受け付けることができる。
【００８２】
（２）図１〜図５を参照して、複数の原稿情報ＭＪを送信する際に用いるプロトコルがＳＭＴＰである場合について説明したが、本発明はこれに限定されない。複数の原稿情報ＭＪを送信可能なプロトコルであればよい。例えば、プロトコルがＦＴＰでもよいし、ＳＭＢでもよい。
【００８３】
（３）図１〜図１１を参照して、「基本色」が白色である場合について説明したが、本発明はこれに限定されない。「基本色」は複数の特定色ＳＣと異なる色であればよい。例えば、「基本色」が、黄色である形態でもよい。また、「基本色」が２色以上の色を含んでもよい。
【産業上の利用可能性】
【００８４】
本発明は、画像読取装置、及び画像形成装置の分野に利用可能である。
【符号の説明】
【００８５】
１００    画像形成装置
１    画像形成ユニット（画像形成部の一部）
２    画像読取ユニット（画像読取装置の一部）
３    原稿搬送ユニット（給送部）
４    操作表示部
４１    タッチパネル
５    制御部（画像読取装置の一部）
５Ａ    プロセッサー
５０１    読取部
５０２    検出部
５０３    判定部
５０４    分割部
５０５    第１決定部（決定部の一部）
５０６    送信部
５０７    取得部
５０８    第２決定部（決定部の一部）
５０９    受付部
５１０    指示部（画像形成部の一部）
５Ｂ    記憶部
５Ｂ１    色記憶部
２００    画像形成装置
３００    パーソナルコンピューター
４００    ネットワーク
Ｒ    第１原稿
Ｃ    第２原稿
ＰＡ    用紙（記録媒体）
Ｐ    用紙（別の記録媒体）
ＳＣ    特定色
【図１】
2019009710.tif 000003
【図２】
2019009710.tif 000004
【図３】
2019009710.tif 000005
【図４】
2019009710.tif 000006
【図５】
2019009710.tif 000007
【図６】
2019009710.tif 000008
【図７】
2019009710.tif 000009
【図８】
2019009710.tif 000010
【図９】
2019009710.tif 000011
【図１０】
2019009710.tif 000012
【図１１】
2019009710.tif 000013